【事件の表示】
　特願２００４−１７２６２０「遊技機」拒絶査定不服審判事件〔平成１６年１０月１４日出願公開、特開２００４−２８３６１０〕について、次のとおり審決する。
【結　論】
　本件審判の請求は、成り立たない。
【理　由】
第１　手続の経緯・本願発明の認定
本願は、平成４年１０月２７日に出願された特願平４−３１２９０８号の一部を特許法第４４条第１項の規定により新たな特許出願とした特願平１１−３０６０８２号の一部をさらに同規定により新たな特許出願としたものであって、平成１８年１２月２１日付けで拒絶の査定がされたため、これに対し、平成１９年１月２５日付けで拒絶査定不服審判が請求されるとともに、同年２月７日付けで明細書についての手続補正（以下、「本件補正」という。）がなされたものである。
　
　当審においてこれを審理した結果、平成１９年１１月１５日付けで本件補正を却下する決定をしたため、平成１９年１２月２８日付けで知的財産高等裁判所に当該決定を取り消す旨の訴えが提起され、同裁判所は平成１９年（行ケ）第１０４３１号として審理した上で、平成２０年７月３０日に「原告の請求を棄却する」との判決を言い渡し、当該判決は確定した。
　
　平成１９年２月７日付けの手続補正は上記のとおり却下されたので、本願の請求項１に係る発明（以下、「本願発明」という。）は、平成１８年１１月１６日付けの手続補正書の特許請求の範囲の請求項１に記載された以下のとおりのものである。
　
「遊技盤に取り付ける取付基板と該取付基板の前面に球検出部を臨ませた通過球検出スイッチとを具備する始動ゲート装置と、
　前記通過球検出スイッチからの検出信号に基づき普通可変表示ゲームを表示可能な普通可変表示装置と、
　開状態と閉状態とに変換可能な開閉部材を有し、前記普通可変表示装置での普通可変表示ゲームが当りとなった場合に該開閉部材を開状態に変換可能な普通変動入賞装置と、
　を備える遊技機において、
　前記始動ゲート装置の取付基板は、
　該通過球検出スイッチの下に位置するように前面に突設し、前記球検出部を通過した球を受けて一定の向きに横送りする横送り部を形成し、
　前記始動ゲート装置は、
　前記通過球検出スイッチを通った球が横送り部で横向きに進路を変え、当該始動ゲート装置の側方に配設された普通変動入賞装置に向けて放出するようになっていることを特徴とする遊技機。」
　
第２　当審の判断
１．引用刊行物の記載事項
　原査定の拒絶の理由に引用された、本願の出願前に日本国内において頒布された刊行物である特開平４−１９３１９０号公報（以下、「引用例１」という。）には、図面とともに以下の事項が記載されている。
　
「第１図、第２図において、パチンコ機の遊技盤１の表面には、ガイドレール２で囲われた遊技部３のほぼ中央に特定入賞口５を有する特別入賞装置４が、特別入賞装置４の下方に変動入賞装置６が配設される。
　特別入賞装置４の左側の遊技部３には始動口７が配設され、右側の遊技部３には開閉翼９ａ，９ｂを有する始動口８ならびに始動口８の直上方にゲート型の開放口１０が配設される。始動口７，８には入賞球を検出する始動スイッチ１１，１２が、開放口１０には通過打球（入球）を検出する入球スイッチ１３が設置される。」（第２頁右下欄第１行乃至第１２行）
　
「遊技部３の右側に配設される開放口１０は、第２図のように打球が通過するだけのもの（賞球はない）で、通過打球を検出する入球スイッチ１３は開放口１０に一体に設けられる。
　同じく遊技部３の右側に配設される始動口８は、第２図、第１０図のように基板７０に配設した開閉翼９ａ，９ｂが打球を受け入れにくい閉状態から打球を受け入れやすい開状態（図示状態）に変換可能であり、基板７０の裏面側に駆動用のソレノイド（図示しない）が設けられる。ソレノイドをオンすると、開閉翼９ａ，９ｂは閉状態から開状態に変換され、ソレノイドをオフすると、開閉翼９ａ，９ｂは開状態から閉状態に戻る。
　始動口８の前飾り板７１には可変表示器７２が、可変表示器７２の左右の前飾り板７１の裏面には記憶表示ＬＥＤ（図示しない）が配置される。可変表示器７２は、７セグメント型のＬＥＤからなり、前記開放口１０に通過打球があると、０〜９の数字（図柄）を順に変換表示すると共に、所定時間の経過後に変換を停止する。この停止時の表示が所定の数字のときに始動口８の開閉翼９ａ，９ｂがソレノイドを介して開駆動される（後述する）。記憶表示ＬＥＤは、開放口１０に通過打球が続いた場合に点灯し、後続球がない可変表示器７２の変換表示中は点滅する。
　なお、始動口８の入賞球を検出する始動スイッチ１２は、基板７０の開口奥部に設置される。
　始動口８の直上方に開放口１０が配設されるが、この場合開放口１０の通過打球がそのまま始動口８に入賞しないように、始動口８の命釘７４と開放口１０との間に開放口１０の通過打球の流下方向を規制する障害釘７４が植設される。始動口８の開閉翼９ａ，９ｂに閉時に完全に閉じるタイプのものを用いた場合は、障害釘７４は不要である。」（第４頁右上欄第１行乃至左下欄第１４行）
　
　また、第２図の記載より、開放口１０には、遊技盤に取り付ける取付基板が具備されているものと認められる。
　
　前記摘示の記載及び図面並びに認定事項によれば、引用例１には、以下の発明（以下、「引用発明」という。）が記載されているものと認められる。
　
＜引用発明＞
「ゲート型であって、遊技盤に取り付ける取付基板を具備し、通過打球を検出する入球スイッチ１３が一体に設けられた開放口１０と、
　前記開放口１０に通過打球があると、０〜９の数字を順に変換表示すると共に、所定時間の経過後に変換を停止し、この停止時の表示が所定の数字のときに始動口８の開閉翼９ａ，９ｂが開駆動される可変表示器７２と、
　開閉翼９ａ，９ｂが打球を受け入れにくい閉状態から打球を受け入れやすい開状態に変換可能である始動口８と、
が配設されるパチンコ機において、
　始動口８の直上方に開放口１０が配設され、始動口８の命釘７４と開放口１０との間に開放口１０の通過打球の流下方向を規制する障害釘７４が植設されるパチンコ機。」
　
２．対比
　本願発明と引用発明とを対比すると、引用発明の「入球スイッチ１３」は本願発明の「通過球検出スイッチ」に相当し、同様に、「開放口１０」は「始動ゲート装置」に、「可変表示器７２」は「普通可変表示装置」に、「開閉翼９ａ，９ｂ」は「開閉部材」に、「始動口８」は「普通変動入賞装置」に、「パチンコ機」は「遊技機」に、それぞれ相当する。
　
　また、引用発明について、以下のことがいえる。
　
ア．引用発明の「開放口１０」は、「ゲート型であって、遊技盤に取り付ける取付基板を具備し、通過打球を検出する入球スイッチ１３が一体に設けられた」ものであり、入球スイッチ１３が取付基板の前面に通過打球を検出する部分を臨ませることは当業者にとって自明であるから、「遊技盤に取り付ける取付基板と該取付基板の前面に球検出部を臨ませた通過球検出スイッチとを具備する始動ゲート装置」に相当する。
　
イ．引用発明の「可変表示器７２」は、「前記開放口１０に通過打球があると、０〜９の数字を順に変換表示すると共に、所定時間の経過後に変換を停止」するのであり、ここで、「前記開放口１０に通過打球がある」ことは「通過打球を検出する入球スイッチ１３」によって検出されるから、「前記通過球検出スイッチからの検出信号に基づき普通可変表示ゲームを表示可能」であるといえる。
　
ウ．引用発明の「始動口８」は、「開閉翼９ａ，９ｂが打球を受け入れにくい閉状態から打球を受け入れやすい開状態に変換可能」であり、ここで、可変表示器７２において「前記開放口１０に通過打球があると、０〜９の数字を順に変換表示すると共に、所定時間の経過後に変換を停止」され、「この停止時の表示が所定の数字のときに始動口８の開閉翼９ａ，９ｂが開駆動される」のであるから、「開状態と閉状態とに変換可能な開閉部材を有し、前記普通可変表示装置での普通可変表示ゲームが当りとなった場合に該開閉部材を開状態に変換可能」であるといえる。
　
エ．引用発明の「障害釘７４」は、「始動口８の直上方に開放口１０が配設され、始動口８の命釘７４と開放口１０との間に……植設され」るから、入球スイッチ１３の下に位置するといえ、また、「開放口１０の通過打球の流下方向を規制する」ものであるから、通過打球の進路を変更するといえる。してみると、引用発明の「障害釘７４」は、「通過球検出スイッチの下に位置するように前面に突設し、前記球検出部を通過した球を受けて進路を変更する進路変更部を形成し、前記通過球検出スイッチを通った球が進路変更部で進路を変える」点で、本願発明の「横送り部」と共通する。
　
　そうすると、本願発明と引用発明の両者は、以下の点でそれぞれ、一致並びに相違するものと認められる。
　
＜一致点＞
「遊技盤に取り付ける取付基板と該取付基板の前面に球検出部を臨ませた通過球検出スイッチとを具備する始動ゲート装置と、
　前記通過球検出スイッチからの検出信号に基づき普通可変表示ゲームを表示可能な普通可変表示装置と、
　開状態と閉状態とに変換可能な開閉部材を有し、前記普通可変表示装置での普通可変表示ゲームが当りとなった場合に該開閉部材を開状態に変換可能な普通変動入賞装置と、
　を備える遊技機において、
　該通過球検出スイッチの下に位置するように前面に突設し、前記球検出部を通過した球を受けて進路を変更する進路変更部を形成し、
　前記通過球検出スイッチを通った球が進路変更部で進路を変える遊技機。」
である点。
　
＜相違点１＞
　進路変更部の構造について、本願発明では、始動ゲート装置の取付基板に形成された、該通過球検出スイッチの下に位置するように前面に突設し、前記球検出部を通過した球を受けて一定の向きに横送りする横送り部であるのに対し、引用発明では、始動口８の命釘７４と開放口１０との間に植設された障害釘７４である点。
　
＜相違点２＞
　球の進路について、本願発明では、通過球検出スイッチを通った球が横送り部で横向きに進路を変え、始動ゲート装置の側方に配設された普通変動入賞装置に向けて放出するようになっているのに対し、引用発明では、そのような進路でない点。
　
３．判断
（１）相違点１についての判断
　進路変更部に関して、原査定の拒絶の理由に引用された、本願の出願前に日本国内において頒布された刊行物である実願昭６１−５９０１９号（実開昭６２−１７００８０号）のマイクロフィルム（以下、「引用例２」という。）には、特に、実用新案登録請求の範囲及び第１図に、パチンコ球の入賞ユニット内に壁面を設けて入賞球通路を形成し、入賞球を特定の方向へ分配することが記載されている。そして、入賞装置に壁面を形成する際に、取付基板の前面に壁部材を突設することは、設計事項に過ぎない。したがって、相違点１に係る本願発明の構成を引用発明に採用することは、当業者にとって想到容易である。
　
（２）相違点２についての判断
　引用発明は、普通変動入賞装置を始動ゲート装置の直下に配置し、そのため、始動ゲート通過球が普通変動入賞装置に入賞しすぎるのを防ぐために障害釘７４を設け、これにより通過球の進路を変更するものである。しかし、普通変動入賞装置を始動ゲート装置の下方であり、かつ、水平方向に離隔した位置に配置し、同時に、始動ゲート装置を通過した球を普通変動入賞装置に向けて進路を変化させることは、例えば、「パチンコ必勝ガイド」１９９１年１２月号の第２２頁乃至第２３頁に記載された「サーカス」の欄、及び、「パチンコ攻略マガジン」１９９２年２月号の第７頁に記載された「ブラボーカジノ」の欄に記載されているように周知技術である。したがって、普通変動入賞装置と始動ゲート装置との位置関係を上記周知技術のように変更し、同時に、上記周知技術により球の進路変更方向を普通変動入賞装置に向かう方向とすること、すなわち、相違点２に係る本願発明の構成を引用発明に採用することは、当業者にとって想到容易である。
　
（２）進歩性の判断
　相違点１−２に係る本願発明の構成を採用することは、当業者にとって想到容易であり、この構成を採用したことによる格別の作用効果を認めることもできない。
　したがって、本願発明は、引用発明、引用例２に記載された技術及び周知技術に基づいて、当業者が容易に発明をすることができたものであるから、特許法第２９条第２項の規定により特許を受けることができないものである。
　
第３　むすび
　本願発明が特許を受けることができないから、他の請求項に係る発明について検討するまでもなく、本願は拒絶されるべきものである。
　よって、結論のとおり審決する。